(57)【要約】【課題】  反射板取付け金具の爪片を照明器具本体の嵌合孔に挿通し、嵌合孔から突出した爪片を折り曲げて反射板取付け金具を照明器具本体に固定する組立ての簡単な固定を採用するとともに、反射板取付け金具と照明器具本体との電気的接続を安定して得ること。【解決手段】  反射板取付け金具３の爪片３ａを挿通する、表面全域に絶縁塗装した金属製箱状の照明器具本体１の嵌合孔１ｂの端部１ｂａを、爪片３ａの厚み幅から、その幅をしだいに狭める傾斜辺とし、爪片３ａを圧入し傾斜辺の孔側壁の絶縁塗膜を剥離し、爪片３ａの折り曲げで爪片３ａのエッジと絶縁塗膜を剥離した端部１ｂａの傾斜辺の孔側壁との圧着を維持する。【選択図】  図１
2006172968.tif 000002
【特許請求の範囲】
【請求項１】
表面全域に絶縁塗膜を施した金属製箱状の照明器具本体と、前記照明器具本体の開口を覆い装着した光源の光を反射する反射板と、前記照明器具本体に前記反射板を取り付ける断面コ字状の反射板取付け金具を有し、前記照明器具本体に、前記照明器具本体の底面に形成した嵌合孔に前記反射板取付け金具の開口端に形成した爪片を挿入して折り曲げて前記反射板取付け金具を固定し、固定した前記反射板取付け金具に前記反射板を取付けてなる照明器具において、前記照明器具本体の底面に形成した嵌合孔の端部を最端部を一点とする三角状に形成し、前記反射板取付け金具の開口端に形成した爪片の端部を前記三角状の端部に圧接嵌合してなることを特徴とする照明器具。
【発明の詳細な説明】
【技術分野】
【０００１】
本発明は、照明器具、詳しくは反射板取付け金具の照明器具本体への取着構造に関するものである。
【背景技術】
【０００２】
図２は直管型蛍光放電灯を２灯装着する照明器具を示すもので、この図において、１は照明器具本体、２は反射板、３は反射板取付け金具、４はラッチ、５は照明器具本体１の端部に装着された蛍光放電灯用ソケットである。照明器具本体１は鉄板などの金属板を一面が開口した箱状に折り曲げて形成され、反射板２も同様の金属板を蛍光放電灯の一部を囲むように折り曲げて形成され、反射板取付け金具３も同様の金属板を断面コ字状に折り曲げて形成され、その底面にラッチ４が取付けられている。そして、照明器具本体１の底面に反射板取付け金具３が、反射板取付け金具３のコ字状の開口端を当接して取り付けられ、取り付けた反射板取付け金具３に、反射板取付け金具３のラッチ４に反射板２のラッチ孔２ａを挿入し、ラッチ４を操作して反射板２を取り付ける。
【０００３】
図３（ａ）（ｂ）（ｃ）は、反射板取付け金具の照明器具本体への組立てを示すもので、反射板取付け金具３には、コ字状の開口端に突出する爪片３ａが形成され、照明器具本体１には嵌合孔１ａが形成されている。嵌合孔１ａは中央部分に膨らみを有し、両側の端部は爪片３ａの肉厚幅とほぼ同幅の矩形状に形成されている。そして爪片３ａを嵌合孔１ａに挿通し、嵌合孔１ａから突出した爪片３ａを折り曲げる（図３（ｂ））。これによって反射板取付け金具３は照明器具本体１に取り付け固定される。なお、図３（ｃ）は取付け部の拡大図である。
【０００４】
ところで、照明器具は電気製品であり感電を防止するために配線や電気部品を装着する照明器具本体１はアース線などで直接に接地し、反射板２や反射板取付け金具３は取付け部を介して照明器具本体１に電気的に接続している。しかし、照明器具本体１は、成形し嵌合孔などを形成した後、その表面全域にわたって金属を保護するために絶縁性塗料で塗装している。  そのために上記のような反射板取付け金具３の爪片３ａを照明器具本体１の嵌合孔１ａに挿通し、嵌合孔１ａから突出した爪片３ａを折り曲げて固定する固定では、照明器具の組立て作業は簡単であるものの、嵌合孔１ａの絶縁性塗膜が反射板取付け金具３と照明器具本体１との電気的接続を遮り、その接続が不安定であるといった問題があった。
【発明の開示】
【発明が解決しようとする課題】
【０００５】
本発明が解決しようとする課題は、反射板取付け金具の爪片を照明器具本体の嵌合孔に挿通し、嵌合孔から突出した爪片を折り曲げて反射板取付け金具を照明器具本体に固定する組立ての簡単な固定を採用するとともに、反射板取付け金具と照明器具本体との電気的接続を安定して得ることができ、斯かる問題を解消する点にある。
【課題を解決するための手段】
【０００６】
本発明は、表面全域に絶縁塗膜を施した金属製箱状の照明器具本体と、前記照明器具本体の開口を覆い装着した光源の光を反射する反射板と、前記照明器具本体に前記反射板を取り付ける断面コ字状の反射板取付け金具を有し、前記照明器具本体に、前記照明器具本体の底面に形成した嵌合孔に前記反射板取付け金具の開口端に形成した爪片を挿入して折り曲げて前記反射板取付け金具を固定し、固定した前記反射板取付け金具に前記反射板を取付けてなる照明器具において、前記照明器具本体の底面に形成した嵌合孔の端部を最端部を一点とする三角状に形成し、前記反射板取付け金具の開口端に形成した爪片の端部を前記三角状の端部に圧接嵌合してなることを特徴とする。
【発明の効果】
【０００７】
本発明では、照明器具本体の底面に形成する嵌合孔の端部を三角状に傾斜し、反射板取付け金具に形成した爪片の端部を嵌合孔の傾斜した端部に圧接嵌合し、その爪片を折り曲げて反射板取付け金具を照明器具本体に固定するので、その固定に際し爪片のエッジで嵌合孔の絶縁塗膜を剥離し、反射板取付け金具と照明器具本体は確実に電気的に接続する。これにより照明器具を組立てる作業だけで、常に安定した照明器具本体と反射板取付け金具の電気的接続が得られる。
【発明を実施するための最良の形態】
【０００８】
反射板取付け金具の爪片を照明器具本体の嵌合孔に挿通し、嵌合孔から突出した爪片を折り曲げて反射板取付け金具を照明器具本体に固定する組立ての簡単な固定を採用するとともに、反射板取付け金具と照明器具本体との電気的接続を安定して得る目的を、照明器具本体の底面に形成する、反射板取付け金具に形成した爪片を嵌入する嵌合孔の端部を、最端部を一点とする三角状に形成し、その嵌合孔に反射板取付け金具に形成した爪片の端部を圧入することにより実現した。
【実施例】
【０００９】
図１は本発明の実施例に係る照明器具本体と反射板取付け金具の組み立てを示す図で、（ａ）は組立て前の斜視図、（ｂ）は組立て前の拡大図、（ｃ）は組立て後の断面図、（ｄ）は固定部の拡大平面図である。なお、図２および図３に示す照明器具と同一部分には同一の符号を付している。図１において、１は照明器具本体、３は反射板取付け金具である。反射板取付け金具３は、従来と同様に金属板を断面コ字状に折り曲げて形成され、コ字状の開口端に突出する爪片３ａが形成されている。
【００１０】
照明器具本体３は、従来と同様に鉄板などの金属板を一面が開口した箱状に折り曲げて形成され、その底面に反射板取付け金具３の爪片３ａを嵌め込む嵌合孔１ｂが形成され、表面全域に絶縁塗膜が形成されている。嵌合孔１ｂは、図１（ｂ）に示すように中央部分１ｂｃは膨らみ、端部１ｂａは爪片３ａの厚み幅から、その幅をしだいに狭める傾斜辺、すなわち最端部を一点とする三角状に形成されている。
【００１１】
反射板取付け金具３の爪片３ａを照明器具本体１の嵌合孔１ｂに挿通するとき、端部１ｂａが幅狭のため圧入するが、その圧入で爪片３ａのエッジ（角部）が傾斜辺の孔側壁を擦り、その壁面に付着している絶縁塗膜を剥離する。嵌合孔１ｂに挿通後突出した爪片３ａを折り曲げて固定するが、その折り曲げで爪片３ａのエッジは、絶縁塗膜を剥離した端部１ｂａの傾斜辺の孔側壁に圧着し（図１（ｄ）１ｂａｂ）、その圧着状態が保持される。これにより反射板取付け金具３と照明器具本体１との電気的接続が常に維持される。
【図面の簡単な説明】
【００１２】
【図１】本発明の実施例に係る照明器具本体と反射板取付け金具の組み立てを示す図で、（ａ）は組立て前の斜視図、（ｂ）は組立て前の要部拡大図、（ｃ）は組立て後の断面図、（ｄ）は固定部の拡大平面図である。
【図２】照明器具の斜視図である。
【図３】従来の照明器具本体と反射板取付け金具の組み立てを示す図である。
【符号の説明】
【００１３】
１  照明器具本体
１ｂ  嵌合孔
２  反射板
３  反射板取付け金具
３ａ  爪片
４  ラッチ
５  ソケット
【図１】
2006172968.tif 000003
【図２】
2006172968.tif 000004
【図３】
2006172968.tif 000005